(57)【要約】  各電気パラメータ変化時間帯内に電源部（ＰＷ）出力開始電気パラメータ及び電源部出力終了電気パラメータがあり、電源部出力電気パラメータは開始電気パラメータから終了電気パラメータまでの間に同じ傾向で変化し、電気パラメータ変化時間帯における開始点電気パラメータと終了点電気パラメータはそれぞれ当該電気パラメータ変化時間帯の前と後の非電気パラメータ変化時間帯内の電気パラメータと同一であるステップ１と、ステップ１に基づいて、動的発光部は電気パラメータ変化時間帯内に発光パラメータを変更し、発光パラメータの変化によって使用者の眼部の構造は動的に変更されるステップ２とを含むディスプレイの発光パラメータの動的調整方法及び装置に関する。本発明のディスプレイの発光パラメータの動的調整方法は、使用者の目の使い方、座り方及び仕事のリズムに影響を与えない前提で、主動的に使用者の眼部の生理的構造を訓練することにより、使用者の視力を効果的に維持する。
2020500404.tif 000002
【特許請求の範囲】
【請求項１】
ディスプレイが電源部と前記電源部に対応する動的発光部を含み、ディスプレイの作動期間に少なくとも一つの電気パラメータ変化時間帯を設定し、
各電気パラメータ変化時間帯内に電源部出力開始電気パラメータ及び電源部出力終了電気パラメータがあり、電源部出力電気パラメータは前記開始電気パラメータから前記終了電気パラメータまでの間に同じ傾向で変化し、前記電気パラメータ変化時間帯における開始点電気パラメータと終了点電気パラメータはそれぞれ当該電気パラメータ変化時間帯の前と後の非電気パラメータ変化時間帯内の電気パラメータと同一であるステップ１と、
ステップ１に基づいて、動的発光部は前記電気パラメータ変化時間帯内に発光パラメータを変更し、前記発光パラメータの変化によって使用者の眼部の構造は動的に変更されるステップ２と、
を含むことを特徴とするディスプレイの発光パラメータの動的調整方法。
【請求項２】
前記各電気パラメータ変化時間帯は、時間の長さが同じであり、又は異なることを特徴とする請求項１に記載の方法。
【請求項３】
前記電気パラメータは、電圧及び／又は電流を含むことを特徴とする請求項１に記載の方法。
【請求項４】
前記発光パラメータは照度であることを特徴とする請求項１に記載の方法。
【請求項５】
前記照度値は、１００〜１００００ｌｕｘであることを特徴とする請求項４に記載の方法。
【請求項６】
前記電気パラメータ変化時間帯内に、前記照度の０．１秒範囲内の発光パラメータの変化率は、０．０００１〜０．０２であることを特徴とする請求項５に記載の方法。
【請求項７】
前記電気パラメータ変化時間帯内に、前記照度の変化率は２以上であることを特徴とする請求項５に記載の方法。
【請求項８】
前記動的発光期間では、発光パラメータを人為的に調節することを特徴とする請求項１に記載の方法。
【請求項９】
ディスプレイが電源部と前記電源部に対応する動的発光部を含み、ディスプレイの作動期間に複数の電気パラメータ変化時間帯及び少なくとも一つの非電気パラメータ変化時間帯が含まれ、
各電気パラメータ変化時間帯内に電源部出力開始電気パラメータ及び電源部出力終了電気パラメータがあり、電源部出力電気パラメータは前記開始電気パラメータから前記終了電気パラメータまでの間に同じ傾向で変化し、隣接する電気パラメータ変化時間帯内に、電気パラメータの変化傾向は同じであり、又は異なるステップ１と、
ステップ１に基づいて、動的発光部は発光パラメータを変更し、各電気パラメータ変化時間帯内に、前記発光パラメータの変化によって使用者の眼部の構造は動的に変更されるステップ２と、
を含むことを特徴とするディスプレイの発光パラメータの動的調整方法。
【請求項１０】
前記各電気パラメータ変化時間帯は、時間の長さが同じであり、又は異なることを特徴とする請求項９に記載の方法。
【請求項１１】
前記電気パラメータは、電圧及び／又は電流を含むことを特徴とする請求項９に記載の方法。
【請求項１２】
前記発光パラメータは照度であることを特徴とする請求項９に記載の方法。
【請求項１３】
前記照度値は、１００〜１００００ｌｕｘであることを特徴とする請求項１２に記載の方法。
【請求項１４】
前記電気パラメータ変化時間帯内に、前記照度の０．１秒範囲内の発光パラメータの変化率は、０．０００１〜０．０２であることを特徴とする請求項１３に記載の方法。
【請求項１５】
前記電気パラメータ変化時間帯内に、前記照度の変化率は２以上であることを特徴とする請求項１３に記載の方法。
【請求項１６】
前記動的発光期間では、発光パラメータを人為的に調節することを特徴とする請求項９に記載の方法。
【請求項１７】
ディスプレイが電源部と前記電源部に対応する動的発光部を含み、ディスプレイの作動期間に複数の電気パラメータ設定時間帯が含まれ、
隣接する二つの電気パラメータ設定時間帯に異なる電源部によって出力された電気パラメータをそれぞれ設定するステップ１と、
ステップ１の前記電気パラメータに基づいて、動的発光部は発光パラメータを動的に変更し、前記発光パラメータの変化によって使用者の眼部の構造は動的に変更されるステップ２と、
を含むことを特徴とするディスプレイの発光パラメータの動的調整方法。
【請求項１８】
前記各電気パラメータ設定時間帯は、時間の長さが同じであり、又は異なることを特徴とする請求項１７に記載の方法。
【請求項１９】
前記電気パラメータは、電圧及び／又は電流を含むことを特徴とする請求項１７に記載の方法。
【請求項２０】
前記発光パラメータは照度であることを特徴とする請求項１７に記載の方法。
【請求項２１】
前記照度値は、１００〜１００００ｌｕｘであることを特徴とする請求項２０に記載の方法。
【請求項２２】
隣接する電気パラメータ設定時間帯の間に、前記照度の変化率の範囲は０．０２以内であることを特徴とする請求項２１に記載の方法。
【請求項２３】
前記動的照明期間では、発光パラメータを人為的に調節することを特徴とする請求項１７に記載の動的照明方法。
【請求項２４】
ディスプレイが電源部と前記電源部に対応する動的発光部を含み、ディスプレイの作動期間に複数の電気パラメータ変化時間帯が含まれ、
各電気パラメータ変化時間帯内に電源部出力開始電気パラメータ及び電源部出力終了電気パラメータがあり、電源部出力電気パラメータは前記開始電気パラメータから前記終了電気パラメータまでの間に同じ傾向で変化し、隣接する電気パラメータ変化時間帯内に、電気パラメータの変化傾向は同じであり、又は異なるステップ１と、
ステップ１に基づいて、動的発光部は発光パラメータを変更し、各電気パラメータ変化時間帯内に、前記発光パラメータの変化によって使用者の眼部の構造は動的に変更されるステップ２と、
を含むことを特徴とするディスプレイの発光パラメータの動的調整方法。
【請求項２５】
前記各電気パラメータ変化時間帯は、時間の長さが同じであり、又は異なることを特徴とする請求項２４に記載の方法。
【請求項２６】
前記電気パラメータは、電圧及び／又は電流を含むことを特徴とする請求項２４に記載の方法。
【請求項２７】
前記発光パラメータは照度であることを特徴とする請求項２４に記載の方法。
【請求項２８】
前記照度値は、１００〜１００００ｌｕｘであることを特徴とする請求項２７に記載の方法。
【請求項２９】
前記電気パラメータ変化時間帯内に、前記照度の０．１秒範囲内の照明パラメータの変化率は、０．０００１〜０．０２であることを特徴とする請求項２８に記載の方法。
【請求項３０】
前記電気パラメータ変化時間帯内に、前記照度の変化率は２以上であることを特徴とする請求項２９に記載の方法。
【請求項３１】
前記動的発光期間では、発光パラメータを人為的に調節することを特徴とする請求項２４に記載の方法。
【請求項３２】
請求項１、９、１７、２４のいずれか１項に記載の方法を使用して作動ことを特徴とする表示装置。
【発明の詳細な説明】
【技術分野】
【０００１】
本発明は、２０１６年１１月１８日に中国特許庁に提出された出願番号が２０１６１１０３１４７１．４で、発明の名称が「ディスプレイの発光パラメータの動的調整方法」である中国特許出願、出願番号が２０１６１１０２６１７３．６で、発明の名称が「ディスプレイの発光パラメータの動的調整方法」である中国特許出願、出願番号が２０１６１１０３１５２６．１で、発明の名称が「ディスプレイの発光パラメータの動的調整方法」である中国特許出願、出願番号が２０１６１１０２６１２１．９で、発明の名称が「ディスプレイの発光パラメータの動的調整方法」である中国特許出願の優先権を主張する。
【０００２】
技術分野
本発明は発光技術の分野に関し、特にディスプレイの発光パラメータの動的調整方法及び表示装置に関し、特にディスプレイを使用する環境など視力保健及び／又は視力訓練が期待される場合に適用する。
【０００３】
背景技術
視覚の健康は、人々が共通に関心する重要な課題となった。２０１５年６月に北京大学中国健康発展研究センターが発表した『国民視覚健康白書』の研究によると、２０１２年の中国における５歳以上の総人口のうち、中国の近視患者及び遠視患者の多くは学生と会社員である。近視患者及び遠視患者の数は約５億であり、そのうち近視の総患者数は約４．５億である。会社員が仕事中でパソコンをよく使って、家に帰ってからテレビを見る時間も長くて、ディスプレイの明るさは通常に設定されたが、能動的に変わることがなく、長期的に見ると、目にとって不衛生であり且つ非常に不健康であって、長期にわたる目の疲れを引き起こすことは、否めない要素となる。ディスプレイを長時間見ている結果、光誘発白内障、光誘発網膜炎、光誘発角膜炎、近視、脳眼機能障害、眩光式視覚疲労などの傷害や疾患を目にもたらす可能性がある。
【０００４】
したがって、従来技術に存在する問題点について、長時間に固定の発光パラメータで目を使うと、使用者の目が回復できず、毛様体筋、瞳孔及び／又は水晶体が長期的に緊張状態に置かれ、その形状、サイズなどの構造が固定して不変し、ひいては水晶体及び瞳孔が長期的に何回も圧縮されてしまうということが挙げられる。
【０００５】
発明の開示
従来技術に存在する上記問題点に鑑み、第１側面において、本発明は、ディスプレイが電源部と前記電源部に対応する動的発光部を含み、ディスプレイの作動期間に少なくとも一つの電気パラメータ変化時間帯を設定し、
各電気パラメータ変化時間帯内に電源部出力開始電気パラメータ及び電源部出力終了電気パラメータがあり、電源部出力電気パラメータは前記開始電気パラメータから前記終了電気パラメータまでの間に同じ傾向で変化し、前記電気パラメータ変化時間帯における開始点電気パラメータと終了点電気パラメータはそれぞれ当該電気パラメータ変化時間帯の前と後の非電気パラメータ変化時間帯内の電気パラメータと同一であるステップ１と、
ステップ１に基づいて、動的発光部は前記電気パラメータ変化時間帯内に発光パラメータを変更し、前記発光パラメータの変化によって使用者の眼部の構造は動的に変更されるステップ２と、
を含むディスプレイの発光パラメータの動的調整方法を提供する。
【０００６】
さらに、前記各電気パラメータ変化時間帯は、時間の長さが同じであり、又は異なる。
【０００７】
さらに、前記電気パラメータは、電圧及び／又は電流を含む。
【０００８】
さらに、前記発光パラメータは、照度である。
【０００９】
さらに、前記照度値は、１００〜１００００ｌｕｘである。
【００１０】
さらに、前記電気パラメータ変化時間帯内に、前記照度の０．１秒範囲内の発光パラメータの変化率は、０．０００１〜０．０２である。
【００１１】
さらに、前記電気パラメータ変化時間帯内に、前記照度の変化率は２以上である。
【００１２】
さらに、前記動的発光期間では、発光パラメータを人為的に調節する。
【００１３】
第２側面において、本発明は、ディスプレイが電源部と前記電源部に対応する発光部を含み、ディスプレイの作動発光期間に複数の電気パラメータ変化時間帯及び少なくとも一つの非電気パラメータ変化時間帯が含まれ、
各電気パラメータ変化時間帯内に電源部出力開始電気パラメータ及び電源部出力終了電気パラメータがあり、電源部出力電気パラメータは前記開始電気パラメータから前記終了電気パラメータまでの間に同じ傾向で変化し、隣接する電気パラメータ変化時間帯内に、電気パラメータの変化傾向は同じであり、又は異なるステップ１と、
ステップ１に基づいて、動的発光部は発光パラメータを変更し、各電気パラメータ変化時間帯内に、前記発光パラメータの変化によって使用者の眼部の構造は動的に変更されるステップ２と、
を含むディスプレイの発光パラメータの動的調整方法を提供する。
【００１４】
さらに、前記各電気パラメータ変化時間帯は、時間の長さが同じであり、又は異なる。
【００１５】
さらに、前記電気パラメータは、電圧及び／又は電流を含む。
【００１６】
さらに、前記発光パラメータは、照度である。
【００１７】
さらに、前記照度値は、１００〜１００００ｌｕｘである。
【００１８】
さらに、前記電気パラメータ変化時間帯内に、前記照度の０．１秒範囲内の発光パラメータの変化率は、０．０００１〜０．０２である。
【００１９】
さらに、前記電気パラメータ変化時間帯内に、前記照度の変化率は２以上である。
【００２０】
さらに、前記動的発光期間では、発光パラメータを人為的に調節する。
【００２１】
第３側面において、本発明は、ディスプレイが電源部と前記電源部に対応する動的発光部を含み、ディスプレイの作動期間に複数の電気パラメータ設定時間帯が含まれ、
隣接する二つの電気パラメータ設定時間帯に異なる電源部によって出力された電気パラメータをそれぞれ設定するステップ１と、
ステップ１の前記電気パラメータに基づいて、動的発光部は発光パラメータを動的に変更し、前記発光パラメータの変化によって使用者の眼部の構造は動的に変更されるステップ２と、
を含むディスプレイの発光パラメータの動的調整方法を提供する。
【００２２】
さらに、前記各電気パラメータ設定時間帯は、時間の長さが同じであり、又は異なる。
【００２３】
さらに、前記電気パラメータは、電圧及び／又は電流を含む。
【００２４】
さらに、前記発光パラメータは、照度である。
【００２５】
さらに、前記照度値は、１００〜１００００ｌｕｘである。
【００２６】
さらに、隣接する電気パラメータ設定時間帯の間に、前記照度の変化率の範囲は０．０２以内である。
【００２７】
さらに、前記動的発光期間では、発光パラメータを人為的に調節する。
【００２８】
第４側面において、本発明は、ディスプレイが電源部と前記電源部に対応する発光部を含み、ディスプレイの作動期間に複数の電気パラメータ変化時間帯が含まれ、
各電気パラメータ変化時間帯内に電源部出力開始電気パラメータ及び電源部出力終了電気パラメータを有し、電源部出力電気パラメータは前記開始電気パラメータから前記終了電気パラメータまでの間に同じ傾向で変化し、隣接する電気パラメータ変化時間帯内に、電気パラメータの変化傾向は同じであり、又は異なるステップ１と、
ステップ１に基づいて、動的発光部は発光パラメータを変更し、各電気パラメータ変化時間帯内に、前記発光パラメータの変化によって使用者の眼部の構造は動的に変更されるステップ２と、
を含むディスプレイの発光パラメータの動的調整方法を提供する。
【００２９】
さらに、前記各電気パラメータ変化時間帯は、時間の長さが同じであり、又は異なる。
【００３０】
さらに、前記電気パラメータは、電圧及び／又は電流を含む。
【００３１】
さらに、前記発光パラメータは、照度である。
【００３２】
さらに、前記照度値は、１００〜１００００ｌｕｘである。
【００３３】
さらに、前記電気パラメータ変化時間帯内に、前記照度の０．１秒範囲内の発光パラメータの変化率は、０．０００１〜０．０２である。
【００３４】
さらに、前記電気パラメータ変化時間帯内に、前記照度の変化率は２以上である。
【００３５】
さらに、前記動的発光期間では、発光パラメータを人為的に調節する。
【００３６】
第５側面において、本発明は、前記側面のいずれかに記載の方法を使用して作動する表示装置をさらに提供する。
【００３７】
本発明の有益な効果は、電気パラメータを変更することにより、発光パラメータはそれに伴って変化され、このような光の変化によって使用者の眼部の構造は動的に変更されること、眼部の構造の変化は虹彩、毛様体筋及び水晶体の連動を含み、それによって目の生理的構造が絶えずに動き、虹彩、毛様体筋及び水晶体の形状及び／又はサイズにおいて絶えずに自動的に変化することにより、目の虹彩、毛様体筋及び水晶体がある状態に固定しなくて視力の退化を起こしにくく、視光システムの活躍を維持し、そして目の近視、遠視などの問題の発生を根本的に防止すること、同時に目が前記発光光の変化過程を受けることにより、目が昼夜の環境に適応し、目を鍛えて弱視を防止することを含む。
【図面の簡単な説明】
【００３８】
【図１】本発明の一実施例に係る動的発光装置の電気構成モジュールブロック図を示すものである。
【図２】本発明の別の実施例に係る動的発光装置の電気構成モジュールブロック図を示すものである。
【図３】本発明のさらに別の実施例に係る動的発光装置の電気構成モジュールブロック図を示すものである。
【図４】本発明のいくつかの実施例に係る電源部の回路構成図を示すものである。
【図５】本発明の一実施例に係る動的発光装置のＬＥＤ駆動回路を示すものである。
【図６】本発明の一実施例に係る動的発光装置の制御回路を示すものである。
【図７】本発明の一実施例に係る動的発光装置のＵＳＢ限流回路を示すものである。
【図８】本発明の一実施例に係る動的発光装置の電源回路を示すものである。
【図９】本発明の一実施例に係る動的発光装置の電圧変換回路を示すものである。
【図１０】本発明の一実施例に係る動的発光装置のネットワークインターフェース回路を示すものである。
【図１１】本発明の一実施例に係る動的発光装置のタッチキー回路を示すものである。
【図１２】本発明の一実施例に係る動的発光装置のコード出力回路を示すものである。
【図１３】本発明の一実施例に係る動的発光装置の環境温度収集回路を示すものである。
【図１４】本発明の一実施例に係る動的発光装置の入力電圧検出回路を示すものである。
【図１５】本発明に係る電気パラメータの時系列変化の波形図の例を示すものである。
【図１６】別の本発明に係る電気パラメータの時系列変化の波形図の例を示すものである。
【図１７】さらに別の本発明に係る電気パラメータの時系列変化の波形図の例を示すものである。
【図１８ａ】またさらに別の本発明に係る電気パラメータの時系列変化の波形図の一例を示すものである。
【図１８ｂ】もっとさらに別の本発明に係る電気パラメータの時系列変化の波形図の別の例を示すものである。
【００３９】
実施の形態
以下、図面及び実施例に基づき、本発明の技術案をさらに詳しく説明する。
【００４０】
本発明では、使用者の「眼部の構造」は、瞳孔、毛様体筋及び水晶体のうちの少なくとも一つを含む。本発明では、「電力」という用語は、直流電力及び交流電力のうちの少なくとも一方を含む。本発明では、「時間帯」は一つ又は複数の期間を指し、かつ本発明の「時間帯」は、各期間の長さが同じでもよく、異なってもよく、複数の期間におけるそれぞれの時間の長さの変化は規律が存在してもよく、存在しなくてもよく、かつ複数の期間内に電力の電気パラメータが規則的又は不規則的な変化を呈してもよい特性を有する一つ又は複数の期間を保護範囲内にするものである。
【００４１】
本発明のディスプレイの発光パラメータの動的調整方法は、以下の異なる種類の技術案を含む。以下、逐一に説明する。
【００４２】
第１の技術案では、本発明のディスプレイの発光パラメータの動的調整方法は、ディスプレイが電源部と前記電源部に対応する動的発光部を含み、ディスプレイの作動期間に少なくとも一つの電気パラメータ変化時間帯を設定し、
各電気パラメータ変化時間帯内に電源部出力開始電気パラメータ及び電源部出力終了電気パラメータがあり、電源部出力電気パラメータは前記開始電気パラメータから前記終了電気パラメータまでの間に同じ傾向で変化し、前記電気パラメータ変化時間帯における開始点電気パラメータと終了点電気パラメータはそれぞれ当該電気パラメータ変化時間帯の前と後の非電気パラメータ変化時間帯内の電気パラメータと同一であるステップ１と、
ステップ１に基づいて、動的発光部は前記電気パラメータ変化時間帯内に発光パラメータを変更し、前記発光パラメータの変化によって使用者の眼部の構造は動的に変更されるステップ２とを含む。
【００４３】
前記電気パラメータ変化時間帯内、電気パラメータの変化による発光パラメータの変化は、十分に感知された正常な使用に影響する悪影響を視覚感官に与えない。
【００４４】
本発明のいくつかの実施例によれば、各動的発光部は発光パラメータを変更するのは、電気パラメータ変化時間帯内に、各動的発光部の発光パラメータがいずれも変化することを含み、これにより使用者の目の構造により多くの変化をさらに生じさせ、より多くの訓練を取得する。また、このような変化により、異なる電気パラメータ変化時間帯の間に発光パラメータが大きく変化又は変動する状況も大幅に減少され、ひいては使用者が発光パラメータの変化を主観的に意識しないままで発光環境に居ることに有利である。より有利なことは、本発明は使用者の目に更なる細かい構造変化を生じさせることにより、使用者の目の構造に対し適切かつ所望の微調整を行うことが可能となるということである。
【００４５】
本発明のいくつかの実施例によれば、前記方法は、前記電気パラメータの変化方式を示す情報を記憶するステップ、及び／又は前記電気パラメータの変化周波数を設定及び計数するステップをさらに含む。
【００４６】
動的発光装置を利用することによりディスプレイを実現することができる。以下、本発明における電源部及び動的発光部を含む動的発光装置の構造に基づき、本発明を実施する動的発光方法の非限定的な実例をさらに説明する。各電源部は、一つの動的発光部のみを制御してもよく、複数の動的発光部を制御してもよく、複数の電源部及び複数の動的発光部を有してもよい。
【００４７】
図１に示すように、本発明の動的発光装置１００の電気構成モジュールブロック図が概略的に示されている。当該動的発光装置１００は、電源部ＰＷ及び複数の動的発光部１、２、．．．、Ｎを含み、ただしＮは１より大きい自然数である。前記電源部ＰＷは前記動的発光部１、２、．．．、Ｎに電力を提供する。見やすいように、図２には、スイッチのような当業者なら確定できる発光装置が必然的に具備する部品が示されていない。本発明の好ましい実施例によれば、スイッチは電源部ＰＷに設置され、複数の動的発光部１、２、…、Ｎに電力を提供するか否かを制御し、つまり動的発光装置１００全体が作動するか否かを制御する。本発明の好ましい実施例によれば、前記動的発光部１、２、…、ＮはＬＥＤ発光装置に属する。
【００４８】
本発明の電源部ＰＷによって出力される電気パラメータは、所定方式で変更される。ここで言う所定方式は、電源部ＰＷ又は他の部品に記憶される予め設定されたデータ表であってもよい。前記データ表は、複数組の電気パラメータを含む。いくつかの実施例では、これらの電気パラメータは、出荷前に記憶部に書き込まれた方式によって生成されることができる。別のいくつかの実施例では、これらの電気パラメータは、当該動的発光装置の外部インターフェース（例えば、ＵＳＢ、ネットワークインターフェースなど）によって生成され又は書き換えられることができる。これらの電気パラメータは、電圧と電流のうちの少なくとも一方を含むが、これに限られていない。簡明のために、本発明は電圧というパラメータについて説明し、電源部の回路構造は、図４に示され、その具体的な説明について後述する。このような電力供給方式は、ＬＥＤ発光を採用する場合、ストロボ現象がよく発生するという不備を解消することにより、目に入る光の品質に電気上の保証を与える。
【００４９】
所定方式で電源部ＰＷによって出力される電圧を変更する場合、前記各動的発光部１、２、．．．、Ｎに出力される電圧パラメータは変更される。当該電圧は、動的発光部１、２、…、Ｎの発光電圧として使用される。発光電圧の変更に伴って、前記動的発光部１、２、…、Ｎの発光パラメータは、それに応じて変化する。
【００５０】
本発明では、発光モードパラメータは、各動的発光部の照度、光強度、光束、変化周波数、高さ、傾斜角度及び回動角度のうちの少なくとも一つを含む。つまり、前記発光パラメータが変化する場合、使用者の目に入る光の対応するパラメータも変化する。このような光の変化により、使用者の眼部の構造は動的に変更される。
【００５１】
照度、光強度、光束及び角度などの発光パラメータのうちの少なくとも一つが変化する場合、前記発光パラメータの変化に適応するために、使用者の目の虹彩は、使用者が意識なしという前提で瞳孔の大きさを主動的に調整することにより、光束を制御する。このように、虹彩は、発光の絶えない変化に伴って動いてくる。虹彩の動きは毛様体筋を動かし、毛様体筋の動きも水晶体を動かすことにより、視野内のいわゆる「視覚系三連動」が生じる。前記虹彩、毛様体筋及び水晶体の連動運動は目の生理的構造、すなわち、虹彩、毛様体筋及び水晶体の形状及び／又はサイズを自動的に変化させることにより、目の虹彩、毛様体筋及び水晶体がある状態に固定しなくて視力の退化を起こしにくく、視光システムの活躍を維持する。使用者の目は、視対象距離に基づいて屈折度を調整し、視対象の明晰さを確保することにより、使用者の目を鍛えて目の近視、遠視などの問題の発生を根本的に防止するという目的を達成できる。同時に、目が前記連続的な発光光の変化過程を受けることにより、目が昼夜の環境にも適応でき、目を鍛えて弱視を防止することに役立つ。
【００５２】
本発明のいくつかの実施例によれば、前記動的発光装置１００は記憶部Ｓをさらに含む。記憶部Ｓは、如何なる種類の記憶媒体であってもよく、フラッシュメモリ、ＲＯＭチップ又は如何なる他のタイプの不揮発性固体半導体記憶装置を含むが、これらに限られていない。これらの記憶部Ｓには、前記各動的発光部１、２、．．．、Ｎに対応する発光モードパラメータが設定されている。
【００５３】
本発明のいくつかの実施例によれば、これらの発光モードパラメータ、発光の変化周波数、電力の電気パラメータはいずれも前記記憶部Ｓに記憶されることができる。そのうち、電力の電気パラメータは電圧及び電流を含み、発光モードパラメータは各動的発光部の照度、光強度、光束、変化周波数、高さ、傾斜角度及び回動角度のうちの少なくとも一つを含む。
【００５４】
前記発光モードパラメータが前記記憶部Ｓに記憶される方式には、例えば、前記動的発光装置１００を製造する間に発光モードパラメータを前記記憶部Ｓに設定することが含まれている。別のいくつかの実施例では、前記動的発光装置１００が前記記憶部８に接続されかつ前記記憶部Ｓを読み書き可能なインターフェース（例えば、ネットワークインターフェース、赤外線インターフェース、ブルートゥースインターフェース、ＵＳＢインターフェースなど、未図示）を含むと、発光モードパラメータが前記記憶部Ｓに記憶される方式には、前記動的発光装置１００が使用される期間内に、専門家が当該インターフェースを介して記憶部Ｓにおける発光モードパラメータを修正、削除及び／又は更新することがさらに含まれている。別のいくつかの実施例では、前記動的発光装置１００が前記記憶部Ｓと無線又は有線方式によって通信するインターフェース（例えば、ネットワークインターフェース、赤外線インターフェース、ブルートゥースインターフェース、ＵＳＢインターフェースなど、未図示）を含むと、発光モードパラメータが前記記憶部Ｓに記憶される方式には、前記動的発光装置１００が使用される期間内に、使用者が自動的にアップグレードし、又は前記動的発光装置１００のサプライヤー又はメーカーが遠隔アップグレードすることによって記憶部８における発光モードパラメータを修正、削除及び／又は更新することがさらに含まれている。
【００５５】
図２に示すように、本発明の動的発光装置１００の別種類の電気構成モジュールブロック図が概略的に示されている。当該動的発光装置１００は、複数の電源部ＰＷ及び複数の動的発光部１、２、．．．、Ｎを含み、ただしＮは１より大きい自然数である。前記複数の電源部ＰＷは、前記動的発光部１、２、．．．、Ｎに電力を提供し、各電源部ＰＷは少なくとも一部が同じであってもよく、互いに異なってもよい。見やすいように、図３には、スイッチのような当業者なら確定できる発光装置が必然的に具備する部品が示されていない。本発明の好ましい実施例によれば、スイッチは各電源部ＰＷに設置され、複数の動的発光部１、２、…、Ｎに電力を提供するか否かを制御し、つまり動的発光装置１００全体が作動するか否かを制御する。本発明の好ましい実施例によれば、前記動的発光部１、２、…、ＮはＬＥＤ発光装置に属する。
【００５６】
選択肢として、図２に示すように、本発明の実施例によれば、前記動的発光装置１００は、複数の記憶部Ｓをさらに含む。各記憶部Ｓは、如何なる種類の記憶媒体であってもよく、フラッシュメモリ、ＲＯＭチップ又は如何なる他のタイプの不揮発性固体半導体記憶装置を含むが、これらに限られていない。これらの記憶部Ｓには、前記各動的発光部１、２、．．．、Ｎに対応する発光モードパラメータが設定されている。これらの発光モードパラメータが前記記憶部８に記憶される方式には、例えば、前記動的発光装置１００を製造する間に発光モードパラメータを前記記憶部８に設定することが含まれている。別のいくつかの実施例では、前記動的発光装置１００が前記記憶部８に接続されかつ前記記憶部８を読み書き可能なインターフェース（例えば、赤外線インターフェース、ブルートゥースインターフェース、ＵＳＢインターフェースなど、未図示）を含むと、発光モードパラメータが前記記憶部Ｓに記憶される方式には、前記動的発光装置１００が使用される期間内に、専門家が当該インターフェースを介して記憶部８における発光モードパラメータを修正、削除及び／又は更新することがさらに含まれている。別のいくつかの実施例では、前記動的発光装置１００が前記記憶部８と無線又は有線方式によって通信するインターフェース（例えば、ネットワークインターフェース、赤外線インターフェース、ブルートゥースインターフェース、ＵＳＢインターフェースなど、未図示）を含むと、発光モードパラメータが前記記憶部Ｓに記憶される方式には、前記動的発光装置１００が使用される期間内に、使用者が自動的にアップグレードし、又は前記動的発光装置１００のサプライヤー又はメーカーが遠隔アップグレードすることによって記憶部８における発光モードパラメータを修正、削除及び／又は更新することがさらに含まれている。
【００５７】
選択肢として、図２に示すように、前記動的発光装置１００は、複数の計時部Ｔをさらに含み、各計時部Ｔは一つの電源部ＰＷに対応しかつ発光の変化周波数の設置及び計数に用いられる。該発光の変化周波数は、前記電力の電気パラメータを変更する周波数である。前記計時部Ｔは、如何なる種類の数字又はアナログ計数器、タイマであってもよく、その計時方式は時間に従ってインクリメントする方式によって完成されてもよく、又は時間に従ってデクリメントする方式によって完成されてもよい。前記各動的発光部１、２、．．．、Ｎは、発光モードパラメータ、発光の変化周波数、電力の電気パラメータのうちの少なくとも一つに基づいて、発光パラメータを変更する。
【００５８】
本発明のいくつかの実施例によれば、前記所定方式を表す情報は電圧、電流、電圧及び／又は電流に対応する変化周波数、及び／又は電圧又は電流の変化ステップサイズを含み、動的発光部に対する駆動方式は、ＰＷＭ（パルス幅変調）又は他の方式を採用できる。これらの変化周波数は、電圧又は電流変化に対応する時間帯又は周波数によって表示されることができる。例えば、いくつかの実施例では、複数の電圧値及びその変化時間帯を採用して前記所定方式の情報を表示する。この場合、図２に示された電源部ＰＷは、カウンタを使用して電圧の変化時間帯をカウント時間帯としてカウントし、カウント最終値に達した場合、複数の電圧値の次の値を採用し、ここで、前記複数の電圧値は順に使用される。別のいくつかの実施例では、電圧値及び電圧ステップ値を採用し、すなわち、各電気パラメータ設定時間帯において、図２に示された電源部ＰＷの出力電圧を変更する必要がある度に、前の電気パラメータ設定時間帯の末尾における電圧値に当該電圧ステップ値を加え、そして、この実施例における電圧値及び電圧ステップ値は一つ又は複数であってもよい（複数である場合、可変ステップサイズ方式によって電圧値を設定することができる）。
【００５９】
本発明の一部の実施例によれば、前記各動的発光部の発光パラメータは電気パラメータの変化によって変化する。例えば、電力の電気パラメータを発光パラメータの変化根拠にする場合、各動的発光部は、電圧及び／又は電流及び／又は電圧及び／又は電流に対応する変化周波数などによって発光パラメータを変更する。
【００６０】
本発明のいくつかの実施例によれば、前記方法は、各動的発光部に一つ又は複数の発光ユニットを設置することをさらに含む。前記各動的発光部の前記発光ユニットは、発光モードパラメータ及び／又は電力の電気パラメータに基づいて発光パラメータを変更する。変化原理及び方式は、前記各動的発光部が発光モードパラメータ及び／又は電力の電気パラメータに基づいて発光パラメータを変更する場合と同じである。
【００６１】
本発明の電源部ＰＷによって出力される電気パラメータは、所定方式で変更される。ここで言う所定方式は、電源部ＰＷ又は他の部品に記憶される予め設定されたデータ表であってもよい。前記データ表は、複数組の電気パラメータを含む。いくつかの実施例では、これらの電気パラメータは、出荷前に記憶部に書き込まれた方式によって生成されることができる。別のいくつかの実施例では、前記動的発光装置はこれらの電気パラメータの生成又は書き換えに用いられる外部インターフェースを有し、この場合、これらの電気パラメータは、当該動的発光装置の外部インターフェース（例えば、ＵＳＢ、ネットワークインターフェースなど、未図示）によって生成され又は書き換えられることができる。これらの電気パラメータは、電圧と電流のうちの少なくとも一方を含むが、これに限られていない。簡明のために、本発明は電圧というパラメータについて説明し、電源部の回路構造は、図４に示され、その具体的な説明について後述する。このような電力供給方式は、ＬＥＤ発光を採用する場合、ストロボ現象がよく発生するという不備を解消することにより、目に入る光の品質に電気上の保証を与える。
【００６２】
所定方式で電源部ＰＷによって出力される電圧を変更する場合、前記各動的発光部１、２、．．．、Ｎに出力される電圧パラメータは変更される。当該電圧は、動的発光部１、２、…、Ｎの発光電圧として使用される。発光電圧の変更に伴って、前記動的発光部１、２、…、Ｎの発光パラメータは、それに応じて変化する。本発明の別のいくつかの実施例によれば、各動的発光部１、２、．．．、Ｎに発光ユニットが設置される。本発明の好ましい実施例によれば、これらの発光ユニットは、ＬＥＤビーズ及び／又はＬＥＤバーなどのＬＥＤタイプのデバイスを採用する。別のいくつかの実施例では、これらの発光ユニットは、タングステンビーズ、ＯＬＥＤタイプの発光デバイスなどのＬＥＤ以外のタイプの光源を採用することもできる。
【００６３】
本発明では、各動的発光部は、ある時刻の照度が最高値１００００ｌｕｘに達し、かつ別の時刻の照度が最低値３００ｌｕｘ又は３００ｌｕｘ〜１００００ｌｕｘの任意区間に達する可能性があり、そのうち照度が３０００Ｋ〜６０００Ｋの間に変化し、又はそのうちの任意区間である。
【００６４】
さらに、当該動的発光方法の作業又は実施過程では、各動的発光部が任意時刻の照度はいずれも３００ｌｕｘ以上かつ１００００ｌｕｘ以下である。このような照度の変化（上昇及び／又は下降を含む）過程では、つまり本動的発光方法の一実施過程では、照度の上昇及び下降変化率の絶対値は一定範囲内であり、好ましくは、該範囲の絶対値は毎秒１％〜２０％内であり、つまり、照度の０．１秒範囲内の発光パラメータの変化範囲は約１．００１〜１．０２である。
【００６５】
一般的に受け入れられた事実としては、人の目の視覚残留時間は、日中視覚では約０．０２秒であり、中間視覚では０．１秒であり、夜間視覚では０．２秒であり、中間視覚は日中視覚と夜間視覚の間に存在する状態である。人の目の輝度知覚の変化が実際の輝度変化より遅れること及び視覚残留特性は、視覚惰性と総称される。通常の発光状況では、照度が３００ｌｕｘ〜１００００ｌｕｘであり、中間視覚条件に近い。数回の実験を経て、本発明の好ましい実施例では、０．１秒範囲内の発光パラメータの変化範囲を約１．００１〜１．０２に設定する。この変化範囲内では、発光パラメータの変化は、視覚感官に十分に感知された影響を与えないが、使用者の目の虹彩に使用者が意識なしという前提で瞳孔の大きさを主動的に調整させることにより、光束を制御することができる。このように、虹彩は、発光の絶えない変化に伴って動いてくる。虹彩の動きは毛様体筋を動かし、毛様体筋の動きも水晶体を動かすことにより、視野内のいわゆる「視覚系三連動」が生じ、これにより使用者の目を鍛える目的を達成する。
【００６６】
所望の発光パラメータに基づいて前記発光パラメータを制御する電気パラメータを決定する。例えば、以下の表１、表２、表３は、それぞれ電気パラメータ変化時間帯が１０秒、１００秒、２５０秒である場合における複数組の異なる初期照度及び異なる時間点の照度値であり、表４、表５、表６はそれぞれ電気パラメータ変化時間帯が１０秒、２５０秒、２５０秒である場合における複数組の異なる初期照度及び異なる時間点の照度値であり、前記照度値変化範囲は、０．１秒範囲内の発光パラメータの変化範囲が約１．００１〜１．０２であることを満たす。
【００６７】
【表１】
2020500404.tif 000003
【００６８】
【表２】
2020500404.tif 000004
【００６９】
【表３】
2020500404.tif 000005
【００７０】
【表４】
2020500404.tif 000006
【００７１】
【表５】
2020500404.tif 000007
【００７２】
【表６】
2020500404.tif 000008
【００７３】
実験を通して、所望する発光パラメータに基づいて電気パラメータを決定する。
【００７４】
図３に示すように、動的発光装置の別種類の電気構成モジュールブロック図が示されている。信号処理ユニット又はデータ処理ユニット（例えば、ＭＣＵ）、入力モジュール、通信インターフェースモジュール、複数の動的発光部１、２、．．．、ｎ（例えば、ＬＥＤ光源１、２、．．．、ｎ）及び前記動的発光部に逐一に対応する動的発光駆動部１、２、．．．、ｎ（例えば、ＬＥＤ駆動１、２、．．．、ｎ）を含み、そして電源部をさらに含む。電源部は、動的発光装置における他のモジュールに給電し、動的発光駆動部は、それに対応する動的発光部の駆動に用いられ、前記入力モジュールは、使用者が出す制御指令又はパラメータ調整指令の受信に用いられ、通信インターフェースモジュールは、有線又は無線の方式によって動的発光装置と外部とのデータ通信を達成することに用いられ、前記動的発光部は、それに対応する動的発光駆動部の駆動下で発光パラメータを変更することに用いられ、前記発光パラメータの変化によって使用者の眼部の構造は動的に変更される。
【００７５】
図３に示すように、入力モジュール及び前記信号処理ユニット又はデータ処理ユニット（例えば、ＭＣＵ）、通信インターフェースモジュール、動的発光部１、２、．．．、ｎ（例えば、ＬＥＤ光源１、２、．．．、ｎ）及び前記動的発光部に逐一に対応する動的発光駆動部１、２、．．．、ｎは、それぞれ前記信号処理ユニット又はデータ処理ユニット（例えば、ＭＣＵ）に接続される。本発明のいくつかの実施例によれば、動的発光部の数は３、５、６又は１０などであり、好ましくは３である。
【００７６】
図３に示す実施例の作動原理は、以下の通りである。すなわち、電源部は、外部から入力された電圧（例えば、２２０Ｖ都市電力）を５Ｖ及び３．３Ｖに変換して出力し、ここで、５Ｖの電圧は、入力モジュール、通信インターフェースモジュール及び信号処理ユニット又はデータ処理ユニット（例えば、ＭＣＵ）に供給されて、それらを正常に作動させ、３．３Ｖの電圧は、前記複数の動的発光部１、２、．．．、ｎ（例えば、ＬＥＤ光源１、２、．．．、ｎ）及び前記動的発光駆動部１、２、．．．、ｎ（例えば、ＬＥＤ駆動１、２、．．．、ｎ）に供給されて、それらを正常に作動させる。前記入力モジュールは、使用者から動的発光装置（そのコンポーネントを含む）に送られた制御指令又はパラメータ調整指令を受信し、受信された信号を前記信号処理ユニット又はデータ処理ユニット（例えば、ＭＣＵ）に送信し、前記通信インターフェースモジュールは、動的発光装置の外部からの指令及び／又はデータを前記信号処理ユニット又はデータ処理ユニット（例えば、ＭＣＵ）に送信し、又は、逆に動的発光装置及び／又はその内部のコンポーネントの作動パラメータ又は入力モジュールから前記信号処理ユニット又はデータ処理ユニット（例えば、ＭＣＵ）に入力した指令を動的発光装置の外部に送信する。前記信号処理ユニット又はデータ処理ユニット（例えば、ＭＣＵ）は、前記入力モジュール及び／又は前記通信インターフェースから送信された指令及び／又はデータに基づいて、前記動的発光駆動部１、２、．．．、ｎ（例えば、ＬＥＤ駆動１、２、．．．、ｎ）を制御し、さらに前記動的発光駆動部１、２、．．．、ｎ（例えば、ＬＥＤ駆動１、２、．．．、ｎ）から前記動的発光部１、２、．．．、ｎ（例えば、ＬＥＤ光源１、２、．．．、ｎ）に送信された駆動信号（例えば、電圧、電流、パズル幅）などを変更することにより、各動的発光部は前記変更に応じて発光パラメータを変更し、前記発光パラメータの変化によって使用者の眼部の構造は動的に変更される。
【００７７】
本発明の図１、図２、図３に示す各動的発光装置の電気構成モジュールの実施例によれば、電力の電気パラメータを調整して前記電気パラメータを所定方式で変更させることにより、前記各動的発光部が前記変更に応じて発光パラメータを変更する過程において、選択肢として、電力の電気パラメータは、電圧、電流、周波数などのうちの少なくとも一つであり、又はＰＷＭ（パズル幅変調）方式によって連続的に発光パラメータを変更することができる。動的発光期間では、異なる使用者の基礎的な発光パラメータに対する要求を満足するために、発光パラメータを人為的に調整してもよい。
【００７８】
以下、図４を参照して複数の電源部ＰＷの回路構造を詳しく説明する。各電源部ＰＷの入力端は２２０Ｖ都市電力に接続され、それに対応する動的発光部１、２、…、又はＮに供給される電圧又は電流を生成して出力する。電源部ＰＷが該電圧又は電流を生成する方式は、前記電力の電気パラメータに基づくものであり、かつ発光の変化周波数の制御を受ける。具体的には、順に直列された二つの部分を含み、すなわち、一方は電気変換ユニットであり、他方は信号調整ユニットである。以下、それぞれ説明する。
【００７９】
電気変換ユニットは、整流フィルタモジュール及び定電流電圧モジュールを含む。整流フィルタモジュールは、グリッド電圧を逆変換してなる２４Ｖ交流電圧をリップル電圧に変換し、かつリップル電圧を平滑化電圧に変換し、定電流電圧モジュールは、フィルタモジュールが出力するグリッド電圧の波動による不安定な電圧を相対的に安定した電圧に変換し、かつ動的発光部１、２、．．．、Ｎに定電流を出力する。
【００８０】
図４には、ブリッジ式整流ダイオードＤのａ端及びｃ端は、前記グリッド電圧の両端に接続され、ｂ端とｄ端の間にはフィルタコンデンサＣ１が接続され、ＬＭ２５７６−ＡＤＪ型スイッチングレギュレータＴＣのピン１とピン５の間にはフィルタコンデンサＣ１が接続され、ピン４は抵抗Ｒ２を介してＬＭ３５８型集積演算増幅器ＩＣのピン２に接続され、ピン４はさらにＬＭ３５８型集積演算増幅器ＩＣのピン１に接続され、ピン５とピン４の間には還流ダイオードＤ５が接続され、ピン５はさらに接地される。
【００８１】
グリッド電圧が不安定になる場合があるので、入力された２４Ｖの交流電圧が一定の変動範囲を有し、整流フィルタモジュールから出力される電圧が不安定になり、相対的に安定した電圧を得るために、電圧調整可能なＬＭ２５７６−ＡＤＪ型スイッチングレギュレータを採用することにより、入力される不安定な電圧を安定的に出力できる。ＬＭ２５７６−ＡＤＪ型スイッチングレギュレータの入力電圧の範囲が８〜４０Ｖであるため、本回路を３Ｗの動的発光部１、２、．．．、Ｎの駆動に用いる場合、試験から分かるように、入力電圧が１３Ｖである場合、負荷される動的発光部１、２、．．．、Ｎを通す負荷電流及びその両端の電圧が一定であるが、４０ＶはＬＭ２５７６−ＡＤＪの限界に達したため、限界に近い場合、応用範囲が少しでも変動すると装置は焼損されやすくなる。したがって、本発明では、入力電圧が１３Ｖ〜３８Ｖの範囲で変動することが許可される場合に動的発光部１、２、．．．、Ｎは依然として正常に作動でき、動的発光部１、２、．．．、Ｎの作動を駆動すると言う電圧安定化問題が解決された。
【００８２】
図４におけるＬＭ３５８型集積演算増幅器ＩＣのピン３は、順に抵抗Ｒ１、コンデンサＣ２、インダクタＬ１を介して前記ＬＭ３５８型集積演算増幅器ＩＣのピン２に接続され、前記ＬＭ３５８型集積演算増幅器ＩＣのピン２とピン４の間には抵抗Ｒ３が接続され、ピン８はコンデンサＣ２の正極に接続される。
【００８３】
ＬＭ２５７６−ＡＤＪ型スイッチングレギュレータのピン２から出力される安定電圧は、負荷される動的発光部１、２、．．．、Ｎ及び抵抗Ｒ１によって分圧され、電圧が一定値に達する場合、抵抗Ｒ１の消耗可能な効率が限られ、得られる電圧値が小さいため、動的発光部１、２、．．．、Ｎの両端は高い電圧を受け、これにより電流値が非常に大きくなってしまう。ＬＭ３５８型演算増幅器及び抵抗Ｒ２、抵抗Ｒ３からなるフィードバック回路を採用することにより、電流を一つの固定値に制限し、動的発光部１、２、．．．、Ｎに安定な入力電流を提供し、動的発光部１、２、．．．、Ｎの正常な安定作動を確保でき、回路構造が簡単で強い実用性を有する。
【００８４】
本発明の好ましい実施例によれば、発光ユニットは、周波数が１０００〜３０００Ｈｚの光を生成する。該範囲内の光は、人にとって敏感な周波数である。発光過程では、勉強及び読書にとってリラックス作用を有する。
【００８５】
本発明の別のいくつかの実施例によれば、各動的発光部１、２、．．．、Ｎにそれぞれ少なくとも一つの発光ユニットが設置される。本発明の一実施例によれば、これらの発光ユニットは、ＬＥＤビーズ及び／又はＬＥＤバーなどのＬＥＤタイプのデバイスを採用する。別のいくつかの実施例では、これらの発光ユニットは、タングステンビーズ、ＯＬＥＤタイプの発光デバイスなどのＬＥＤ以外のタイプの光源を採用することもできる。一実施例では、動的発光部におけるビーズは、平面を呈する動的発光部の少なくとも一つの表面に千鳥状パターンで配置されている。発光ユニットの配置方式はこれに限られていない。例えば、本発明の別のいくつかの実施例によれば、発光ユニットは、立体的な曲面の形態を呈する動的発光部の少なくとも一つの表面に配置されてもよい。
【００８６】
本発明の好ましい実施例によれば、各動的発光部１、２、…、Ｎの一つは、それぞれ図６における一つ又は複数の任意に配列される複数の発光ユニットの組み合わせに対応する。概略的であるが非限定的な説明によれば、これらの組み合わせは、例えば、各動的発光部１、２、…、Ｎがそれぞれ一行の発光ユニットに対応すること、又は各動的発光部１、２、…、Ｎがそれぞれ各行の発光素子における前の一行での一つ又は複数及び隣接する行での一つ又は複数に対応することを含む。
【００８７】
各動的発光部について、そのうちのある発光ユニットの照射方向の中心線は、他の発光ユニットの照射方向の中心線と一定の角度を呈するように設置されることができる。本発明の別のいくつかの実施例によれば、各動的発光部の少なくとも一つが互いに一定の角度を呈する二つの表面を具備できれば、発光ユニットを前記動的発光部に設置する場合、前記二つの表面に置かれる発光ユニットの発光方向は互いに異なってくる。
【００８８】
本発明のいくつかの実施例によれば、前記発光ユニットは、発光モードパラメータ、発光の変化周波数、電力の電気パラメータのうちの少なくとも一つに基づいて連続的に発光パラメータを変更する。電力の電気パラメータは発光ユニットに直接作用するのではなく、電源部ＰＷが発生する電圧又は電流に作用することによって発光ユニットに間接作用する。発光モードパラメータの変更は、発光ユニットのタイプ、型番の選択及び／又は発光ユニットが受ける電圧又は電流の作用によって実現される。発光の変化周波数は前記記憶部Ｓに記憶される変化時間によって設定される。
【００８９】
本発明の好ましい実施例によれば、前記動的発光装置１００はさらに支持部を含む。前記複数の動的発光部１、２、．．．、Ｎは、前記支持部に設置され、かつ予め設定された発光モードパラメータによって前記支持部の延伸方向に沿って移動し及び／又は前記支持部を回って回動する。このような移動及び回動により、動的発光部１、２、…、Ｎが使用者の閲覧対象に照射する際に、互いの重畳、減弱及び角度などの組み合わせの変化を発生させる。角度の変化は、発光ユニットが設置される動的発光部の形状及び構造、ならびに発光モードパラメータの異なる時刻での変化又は前記発光の変化周波数による変化に応じて変化する。本発明の好ましい実施例によれば、前記移動の速度は１ｍｍ／ｓ未満であり、回動の角速度は５°／ｓ未満である。
【００９０】
本発明のいくつかの実施例によれば、前記動的発光装置１００は、機械作動部をさらに含み、前記機械作動部は、前記動的発光部１、２、．．．、Ｎを作動させることにより、前記移動及び／又は回動を実現する。該機械作動部はステッピングモータによって実現されることができる。
【００９１】
以下、動的発光部の一つの具体例を挙げて、動的発光部の１種類の実現方式を説明する。当業者なら、当該実例は解釈のために過ぎず、本発明の保護範囲を制限するものではないと分かる。図５〜１４は、多回路ＬＥＤを動的発光部として採用する実施例の具体的な回路接続図である。
【００９２】
図５に示すように、ＬＥＤ駆動回路は、ＰＴ＿４２０５チップをコア駆動チップとして採用し、ＰＷＭ信号は抵抗Ｒ５及び抵抗Ｒ９を介して直列に接続されて接地され、ＰＷＭ信号の抵抗Ｒ９における電圧信号をＰＴ＿４２０５チップのＤＩＭピンに接続し、ＰＴ＿４２０５チップは、ＣＳＮピン及びＳＷピンにおいて、Ｐ１インターフェースのピン２及びピン１に接続する信号をそれぞれ出力し、当該Ｐ１インターフェースは、一つの動的発光部として、一連のＬＥＤを接続するためのものである。
【００９３】
図６に示すように、制御回路は、ＳＴＭ８Ｓ１０５Ｋ６Ｔ６プロセッサを採用する。ＰＷＭ１〜ＰＷＭ６は、図５のＬＥＤ駆動回路に出力されるＰＷＭ信号である。前記プロセッサによって出力される電圧は図１４で検出される。
【００９４】
当該実施例では、電源の変換回路は、図７に示されるＵＳＢ電流制限回路である。ＳＹ６２８０ＡＡＣの電流制限処理により、ＵＳＢインターフェースからの出力電流は、当該実施例に係る動的発光装置における電子デバイスの作動に適合するようになっている。
【００９５】
図８は、本発明の一実施例に係る動的発光装置の電源回路を示すものである。高品質で安定した５Ｖの信号を得て、動的発光装置の他の回路に提供しかつ高品質で安定した３．３Ｖの電圧を発生させるために、入力されるＵＳＢの５Ｖの電圧に対してフィルタリング、リップル除去などの信号前処理を行う。図１１に示される電圧変換回路では、ＡＭＳ＿１１７の変圧処理により、図７におけるＵＳＢインターフェースによって出力される５Ｖの電圧は３．３Ｖになる。図９に示される電圧変換回路と、図８に示される電源回路は共に当該実施例に係る動的発光装置における電子デバイスに作動電圧を提供する。
【００９６】
図１０に示される回路は、本発明の当該実施例において、外部からＷｉＦｉを介して本動的発光装置に出力されるものを受信するためのネットワークインターフェース回路である。
【００９７】
図１１は、本実施例の動的発光装置の照度、オン、オフなどの機能調整を得るための対応するタッチキーの回路である。多回路コンデンサセンサによって前記機能に対応する複数の種類のボタンタッチ信号をそれぞれ収集した後、ＢＳ８１６Ａ＿１タッチチップを介して出力する。
【００９８】
図１２に示されるコード出力回路は、図８に示されるプロセッサの出力信号に従ってコード音声を発生させ、対応する機能がトリガされ、又はある種類／何らかの状態に達することを使用者にリマインダーする。
【００９９】
図１３には、ＮＴＣ１は温度プローブとして採用され、環境温度を収集し、本実施例の動的発光装置は、その環境の環境温度に基づいて温度提示を提供し、及び／又は動的発光装置に照度などの調整フィードバックを参考として提供するのに用いられる。
【０１００】
本発明による電気パラメータの時系列変化の波形図は、例えば図１５に示されるが、無論、本発明の構想に合致する電気パラメータの時系列変化の波形図は該図に示されるものに限られていない。
【０１０１】
本発明における電気パラメータは、電気パラメータの変化率を設定することによって変更でき、前述電気パラメータの変化率は、発光パラメータの変化率に基づいて確定される。
【０１０２】
動的発光期間では、発光パラメータを人為的に調節することにより、現在の発光を明るくしたり暗くしたりして、異なる使用者の発光ニーズに対応できる。
【０１０３】
本発明は、発光パラメータの変化率を設定することによって本発明の技術的効果を実現することもできる。
【０１０４】
本発明は、本発明の発光方法を使用する表示装置をさらに保護する。本発明は、本発明の発光方法を使用する発光装置をさらに保護する。例えば、本発明の動的発光方式は卓上ランプ又は家庭用発光器具に適用できる。
【０１０５】
第２の技術案では、本発明のディスプレイの発光パラメータの動的調整方法は、ディスプレイが電源部と前記電源部に対応する発光部を含み、ディスプレイの作動期間に複数の電気パラメータ変化時間帯及び少なくとも一つの非電気パラメータ変化時間帯が含まれ、
各電気パラメータ変化時間帯内に電源部出力開始電気パラメータ及び電源部出力終了電気パラメータがあり、電源部出力電気パラメータは前記開始電気パラメータから前記終了電気パラメータまでの間に同じ傾向で変化し、隣接する電気パラメータ変化時間帯内に、電気パラメータの変化傾向は同じであり、又は異なるステップ１と、
ステップ１に基づいて、動的発光部は発光パラメータを変更し、各電気パラメータ変化時間帯内に、前記発光パラメータの変化によって使用者の眼部の構造は動的に変更されるステップ２とを含む。
【０１０６】
本発明のいくつかの実施例によれば、各動的発光部は発光パラメータを変更するのは、電気パラメータ変化時間帯内に、各動的発光部の発光パラメータがいずれも変化することを含み、これにより使用者の目の構造により多くの変化をさらに生じさせ、より多くの訓練を取得する。また、このような変化により、異なる電気パラメータ変化時間帯の間に発光パラメータが大きく変化又は変動する状況も大幅に減少され、ひいては使用者が発光パラメータの変化を主観的に意識しないままで発光環境に居ることに有利である。より有利なことは、本発明は使用者の目に更なる細かい構造変化を生じさせることにより、使用者の目の構造に対し適切かつ所望の微調整を行うことが可能となるということである。
【０１０７】
本発明のいくつかの実施例によれば、前記方法は、前記電気パラメータの変化方式を示す情報を記憶するステップ、及び／又は前記電気パラメータの変化周波数を設定及び計数するステップをさらに含む。
【０１０８】
本発明のいくつかの実施例によれば、前記方法は、前記電気パラメータの変化方式を示す情報を記憶するステップ、及び／又は前記電気パラメータの変化周波数を設定及び計数するステップをさらに含む。
【０１０９】
同様に、動的発光装置を利用することによりディスプレイを実現することができる。本発明では、電源部及び動的発光部を含む動的発光装置の構造は、前記実施例と同じであり、具体的には図１〜図１４を参照し、ここでは、繰り返し説明しない。相違点は、発光期間において、電源部の出力は、少なくとも一つの電気パラメータ変化時間帯及び少なくとも一つの非電気パラメータ変化時間帯を含むことである。
【０１１０】
したがって、本発明による電気パラメータの時系列変化の波形図は、例えば図１６に示されるが、無論、本発明の構想に合致する電気パラメータの時系列変化の波形図は該図に示されるものに限られていない。
【０１１１】
本発明における電気パラメータは、電気パラメータの変化率を設定することによって変更でき、前述電気パラメータの変化率は、照明パラメータの変化率に基づいて確定される。
【０１１２】
動的発光期間では、発光パラメータを人為的に調節することにより、現在の発光を明るくしたり暗くしたりして、異なる使用者の発光ニーズに対応できる。
【０１１３】
本発明は、本発明の発光方法を使用する表示装置をさらに保護する。本発明は、本発明の発光方法を使用する発光装置をさらに保護する。例えば、本発明の動的発光方式は卓上ランプ又は家庭用発光器具に適用できる。
【０１１４】
第３の技術案では、ディスプレイが電源部と前記電源部に対応する動的発光部を含み、ディスプレイの作動期間にＣ個の電気パラメータ設定時間帯が含まれ、ただしＣは２以上であり、
隣接する二つの電気パラメータ設定時間帯に異なる電源部によって出力された電気パラメータをそれぞれ設定するステップ１と、
ステップ１の前記電気パラメータに基づいて、動的発光部は発光パラメータを動的に変更し、前記発光パラメータの変化によって使用者の眼部の構造は動的に変更されるステップ２とを含む。
【０１１５】
本発明のいくつかの実施例によれば、各動的発光部は発光パラメータを変更するのは、電気パラメータ変化時間帯内に、各動的発光部の発光パラメータがいずれも変化することを含み、これにより使用者の目の構造により多くの変化をさらに生じさせ、より多くの訓練を取得する。また、このような変化により、異なる電気パラメータ変化時間帯の間に発光パラメータが大きく変化又は変動する状況も大幅に減少され、ひいては使用者が発光パラメータの変化を主観的に意識しないままで発光環境に居ることに有利である。より有利なことは、本発明は使用者の目に更なる細かい構造変化を生じさせることにより、使用者の目の構造に対し適宜かつ所望の微調整を行うことが可能となるということである。
【０１１６】
本発明のいくつかの実施例によれば、前記方法は、前記電気パラメータの変化方式を示す情報を記憶するステップ、及び／又は前記電気パラメータの変化周波数を設定及び計数するステップをさらに含む。
【０１１７】
同様に、動的発光装置を利用することによりディスプレイを実現することができる。本発明では、電源部及び動的照明部を含む動的照明装置の構造は、前記実施例と同じであり、具体的には図１〜図１４を参照し、ここでは、繰り返し説明しない。前の二つの技術案に比べて、その電気パラメータの設定が異なり、変化が異なる。ここでは、相違点を中心に説明する。
【０１１８】
図２を参照すると、本発明のいくつかの実施例によれば、前記方法は、各動的照明部に一つ又は複数の発光ユニットを設置することをさらに含む。この場合、前記各動的照明部は、照明モードパラメータ及び／又は電力の電気パラメータに基づいて照明パラメータを変更することは、前記各動的照明部の前記発光ユニットが照明モードパラメータ及び／又は電力の電気パラメータに基づいて照明パラメータを変更することをさらに含む。変化原理及び方式は、前記各動的照明部が照明モードパラメータ及び／又は電力の電気パラメータに基づいて照明パラメータを変更する場合と同じである。
【０１１９】
本発明の電源部ＰＷによって出力される電気パラメータは、所定方式で変更される。ここで言う所定方式は、電源部ＰＷ又は他の部品に記憶される予め設定されたデータ表であってもよい。前記データ表は、複数組の電気パラメータを含む。いくつかの実施例では、これらの電気パラメータは、出荷前に記憶部に書き込まれた方式によって生成されることができる。別のいくつかの実施例では、前記動的照明装置はこれらの電気パラメータの生成又は書き換えに用いられる外部インターフェースを有し、この場合、これらの電気パラメータは、当該動的照明装置の外部インターフェース（例えば、ＵＳＢ、ネットワークインターフェースなど、未図示）によって生成され又は書き換えられることができる。これらの電気パラメータは、電圧と電流のうちの少なくとも一方を含むが、これに限られていない。簡明のために、本発明は電圧というパラメータについて説明し、電源部の回路構造は、図４に示され、その具体的な説明について後述する。このような電力供給方式は、ＬＥＤ照明を採用する場合、ストロボ現象がよく発生するという不備を解消することにより、目に入る光の品質に電気上の保証を与える。
【０１２０】
所定方式で電源部ＰＷによって出力される電圧を変更する場合、前記各動的照明部１、２、．．．、Ｎに出力される電圧パラメータは変更される。当該電圧は、動的照明部１、２、…、Ｎの照明電圧として使用される。照明電圧の変更に伴って、前記動的照明部１、２、…、Ｎの照明パラメータは、それに応じて変化する。従来技術におけるデジタル信号技術によって信号を調整するという方式と異なり、本発明は好ましくはアナログ方式によって前記照明電圧を生成する。このように、動的照明部１、２、…、Ｎに提供する照明電圧の変化は時間領域において平滑である。そこで、前記動的照明部１、２、…、Ｎが発する光の照明パラメータは連続的変化が生じる。
【０１２１】
本発明の別のいくつかの実施例によれば、各動的照明部１、２、．．．、Ｎに発光ユニットが設置される。本発明の好ましい実施例によれば、これらの発光ユニットは、ＬＥＤビーズ及び／又はＬＥＤバーなどのＬＥＤタイプのデバイスを採用する。別のいくつかの実施例では、これらの発光ユニットは、タングステンビーズ、ＯＬＥＤタイプの照明デバイスなどのＬＥＤ以外のタイプの光源を採用することもできる。
【０１２２】
本発明では、各動的照明部は、ある時刻の照度が最高値１００００ｌｕｘに達し、かつ別の時刻の照度が最低値３００ｌｕｘ又は３００ｌｕｘ〜１００００ｌｕｘの任意区間に達する可能性があり、そのうち照度が３０００Ｋ〜６０００Ｋの間に変化し、又はそのうちの任意区間である。
【０１２３】
異なる環境輝度Ｂについて、人の目が感知可能な最小輝度差Ｄ  Ｂｍｉｎ／Ｂは同じであり、かつ一つの定数である。言い換えれば、人の目の輝度感知の増量Ｄ  Ｓは客観的輝度の増量Ｄ  Ｂに比例するのではなく、輝度の相対的増量Ｄ  Ｂ／Ｂに比例する。ウェーバーフェヒナーの法則によると、主観的輝度感知と客観的輝度の対数は線型関係になる。
【数１】
2020500404.tif 000009
＝Ｄ  Ｂｍｉｎ／Ｂは、コントラスト感度閾値又はウェーバーフェヒナー係数（Ｗｅｂｅｒ−ＦｅｃｎｅｒＲａｔｉｏ）と呼ばれる。通常、
【数２】
2020500404.tif 000010
＝０．００５〜０．０２であり、輝度が非常に高いか又は非常に低い場合、
【数３】
2020500404.tif 000011
は０．０５まで増加し、しかも異なる人群にとって、そのコントラスト感度閾値も異なる。６〜１８歳の青少年を例にすると、そのコントラスト感度閾値は約０．０１である。これに基づいて、本発明の隣接する電気パラメータ変化時間帯の間の照明パラメータ変化率は、人の目が照明パラメータの変化に明確に気づかないように、０．０２以内（０．０２を含む）に保持されることにより、正常な仕事及び勉強に影響しないで、使用者の目の虹彩に使用者が意識なしという前提で瞳孔の大きさを主動的に調整させ、これにより光束を制御することができる。このように、虹彩は、照明光の絶えない変化に伴って動いてくる。虹彩の動きは毛様体筋を動かし、毛様体筋の動きも水晶体を動かすことにより、視野内のいわゆる「視覚系三連動」が生じ、これにより使用者の目を鍛える目的を達成する。
【０１２４】
本発明の電気パラメータ設定時間帯は、好ましくは０．１秒〜５分である。
【０１２５】
以下、いくつかの例を挙げるが、それに限られていない。
【０１２６】
例１
第１電気パラメータ設定時間帯の長さは０．１秒であり、期間内の照度値は３０００であり、それに隣接する第２電気パラメータ設定時間帯の長さは５秒であり、期間内の照度値は３０５５であり、それに隣接する第３電気パラメータ設定時間帯の長さは２秒であり、期間内の照度値は３１００であり、それに隣接する第４電気パラメータ設定時間帯の長さは５分であり、期間内の照度値は３０４０である。
【０１２７】
例２
第１電気パラメータ設定時間帯の長さは１０秒、期間内の照度値は３００であり、それに隣接する第２電気パラメータ設定時間帯の長さは６０秒であり、期間内の照度値は３０５であり、それに隣接する第３電気パラメータ設定時間帯の長さは３００秒であり、期間内の照度値は３１０であり、それに隣接する第４電気パラメータ設定時間帯の長さは１８０秒であり、期間内の照度値は３０５である。
【０１２８】
例３
第１電気パラメータ設定時間帯の長さは５秒であり、期間内の照度値は１００００であり、それに隣接する第２電気パラメータ設定時間帯の長さは６０秒であり、期間内の照度値は９８００であり、それに隣接する第３電気パラメータ設定時間帯の長さは３００秒であり、期間内の照度値は９７５０であり、それに隣接する第４電気パラメータ設定時間帯の長さは１８０秒であり、期間内の照度値は９６５０である。
【０１２９】
所望の発光パラメータに基づいて前記発光パラメータを制御する電気パラメータを決定する。例えば
所望の発光パラメータに基づいて前記発光パラメータを制御する電気パラメータを決定する。例えば、前記の表１、表２、表３は、それぞれ電気パラメータ変化時間帯が１０秒、１００秒、２５０秒である場合における複数組の異なる初期照度及び異なる時間点の照度値であり、表４、表５、表６はそれぞれ電気パラメータ変化時間帯が１０秒、２５０秒、２５０秒である場合における複数組の異なる初期照度及び異なる時間点の照度値であり、前記照度値変化範囲は、０．１秒範囲内の発光パラメータの変化範囲が約１．００１〜１．０２であることを満たす。
【０１３０】
前記の例は同様に、色温度および他の発光パラメータの制御にも適用される。
【０１３１】
本発明の方法に基づいて、例えば図１７に示されるような本発明の電気パラメータの時系列変化の波形を得られるが、無論、本発明の構想に合致する電気パラメータの時系列変化の波形図は該図に示されるものに限られていない。
【０１３２】
動的発光期間では、発光パラメータを人為的に調節することにより、現在の発光を明るくしたり暗くしたりして、異なる使用者の発光ニーズに対応できる。
【０１３３】
本発明は、本発明の発光方法を使用する表示装置をさらに保護する。本発明は、本発明の発光方法を使用する発光装置をさらに保護する。例えば、本発明の動的発光方式は卓上ランプ又は家庭用発光器具に適用できる。
【０１３４】
第４の技術案では、ディスプレイの発光パラメータの動的調整方法は、ディスプレイが電源部と前記電源部に対応する発光部を含み、ディスプレイの作動期間に複数の電気パラメータ変化時間帯が含まれ、
各電気パラメータ変化時間帯内に電源部出力開始電気パラメータ及び電源部出力終了電気パラメータがあり、電源部出力電気パラメータは前記開始電気パラメータから前記終了電気パラメータまでの間に同じ傾向で変化し、隣接する電気パラメータ変化時間帯内に、電気パラメータの変化傾向は同じであり、又は異なるステップ１と、
ステップ１に基づいて、動的発光部は発光パラメータを変更し、各電気パラメータ変化時間帯内に、前記発光パラメータの変化によって使用者の眼部の構造は動的に変更されるステップ２と、を含み、
本発明のいくつかの実施例によれば、各動的発光部は発光パラメータを変更するのは、電気パラメータ変化時間帯内に、各動的発光部の発光パラメータがいずれも変化することを含み、これにより使用者の目の構造により多くの変化をさらに生じさせ、より多くの訓練を取得する。また、このような変化により、異なる電気パラメータ変化時間帯の間に発光パラメータが大きく変化又は変動する状況も大幅に減少され、ひいては使用者が発光パラメータの変化を主観的に意識しないままで発光環境に居ることに有利である。より有利なことは、本発明は使用者の目に更なる細かい構造変化を生じさせることにより、使用者の目の構造に対し適宜かつ所望の微調整を行うことが可能となるということである。
【０１３５】
本発明のいくつかの実施例によれば、前記方法は、前記電気パラメータの変化方式を示す情報を記憶するステップ、及び／又は前記電気パラメータの変化周波数を設定及び計数するステップをさらに含む。
【０１３６】
動的発光装置を利用することによりディスプレイを実現することができ、本発明では、電源部及び動的発光部を含む動的発光装置の構造は、前記実施例と同じであり、具体的には図１〜図１４を参照し、ここでは、繰り返し説明しない。相違点は、発光期間に電源部が隣接する電気パラメータ変化時間帯内に出力する変化は連続的であり、かつ電気パラメータの変化傾向は同じであってもよく、異なってもよい。
【０１３７】
本発明による電気パラメータの時系列変化の波形図は、例えば図１８ａ又は１８ｂに示されるが、無論、本発明の構想に合致する電気パラメータの時系列変化の波形図は該図に示されるものに限られていない。
【０１３８】
動的発光期間では、発光パラメータを人為的に調節することにより、現在の発光を明るくしたり暗くしたりして、異なる使用者の発光ニーズに対応できる。
【０１３９】
本発明は、本発明の発光方法を使用する表示装置をさらに保護する。本発明は、本発明の発光方法を使用する発光装置をさらに保護する。例えば、本発明の動的発光方式は卓上ランプ又は家庭用発光器具に適用できる。
【０１４０】
当業者は、本明細書に開示された実施例に記載の各例のユニット及び計算のステップは、電子ハードウェア、コンピュータソフトウェア又は両者の組み合わせによって実現できるとさらに理解できる。ハードウェアとソフトウェアの交換可能性を明確に説明するために、上述説明では機能に基づいて各例の構成及びステップを説明した。これらの機能が一体ハードウェア方式それともソフトウェア方式によって実行されるかということは、技術案の特定な応用及び設計際の制限条件によって決められる。当業者は、各特定な応用ごとに異なる方法を使用することにより、上述機能を実現できるが、このような実現は本発明の範囲を超えていると認めてはならない。
【０１４１】
本明細書に開示された実施例に記載の方法又は計算のステップは、ハードディスク、プロセッサによって実行されるソフトウェアモジュール、又は両者の組み合わせによって実施できる。ソフトウェアモジュールは、ランダムアクセスメモリ（ＲＡＭ）、メモリ、読み出し専用メモリ（ＲＯＭ）、電気的にプログラミング可能なＲＯＭ、電気的に消去・プログラミング可能なＲＯＭ、レジスター、ハードディスク、リムーバブルディスク、ＣＤ−ＲＯＭ、又は技術分野で公知される任意の他の形態の記憶媒体に設けられることができる。
【０１４２】
上述の具体的な実施の形態では、本発明の目的、技術案及び有益な効果についてより詳細に説明した。上述の記載は本発明の具体的な実施の形態に過ぎず、本発明の保護範囲を限定するためのものではなく、本発明の精神及び原則内でなされた任意の修正、等効な置換、改善などはいずれも、本発明の保護範囲に含まれるものとする。
【図１】
2020500404.tif 000012
【図２】
2020500404.tif 000013
【図３】
2020500404.tif 000014
【図４】
2020500404.tif 000015
【図５】
2020500404.tif 000016
【図６】
2020500404.tif 000017
【図７】
2020500404.tif 000018
【図８】
2020500404.tif 000019
【図９】
2020500404.tif 000020
【図１０】
2020500404.tif 000021
【図１１】
2020500404.tif 000022
【図１２】
2020500404.tif 000023
【図１３】
2020500404.tif 000024
【図１４】
2020500404.tif 000025
【図１５】
2020500404.tif 000026
【図１６】
2020500404.tif 000027
【図１７】
2020500404.tif 000028
【図１８ａ】
2020500404.tif 000029
【図１８ｂ】
2020500404.tif 000030
【手続補正書】
【提出日】平成29年11月29日(2017.11.29)
【手続補正１】
【補正対象書類名】特許請求の範囲
【補正対象項目名】全文
【補正方法】変更
【補正の内容】
【特許請求の範囲】
【請求項１】
ディスプレイが電源部と前記電源部に対応する動的発光部を含み、ディスプレイの作動期間に少なくとも一つの電気パラメータ変化時間帯を設定し、
各電気パラメータ変化時間帯内に電源部出力開始電気パラメータ及び電源部出力終了電気パラメータがあり、電源部出力電気パラメータは前記開始電気パラメータから前記終了電気パラメータまでの間に同じ傾向で変化し、前記電気パラメータ変化時間帯における開始点電気パラメータと終了点電気パラメータはそれぞれ当該電気パラメータ変化時間帯の前と後の非電気パラメータ変化時間帯内の電気パラメータと同一であるステップ１と、
ステップ１に基づいて、動的発光部は前記電気パラメータ変化時間帯内に発光パラメータを変更し、前記発光パラメータの変化によって使用者の眼部の構造は動的に変更されるステップ２と、
を含み、
前記発光パラメータは照度であり、前記電気パラメータ変化時間帯内に、前記照度の０．１秒範囲内の発光パラメータの変化率は０．０００１〜０．０２であり、かつ、前記電気パラメータ変化時間帯内に、前記照度の変化率は２以上であることを特徴とするディスプレイの発光パラメータの動的調整方法。
【請求項２】
前記各電気パラメータ変化時間帯は、時間の長さが同じであり、又は異なることを特徴とする請求項１に記載の方法。
【請求項３】
前記電気パラメータは、電圧及び／又は電流を含むことを特徴とする請求項１に記載の方法。
【請求項４】
前記照度値は、１００〜１００００ｌｕｘであることを特徴とする請求項１に記載の方法。
【請求項５】
前記動的発光期間では、発光パラメータを人為的に調節することを特徴とする請求項１に記載の方法。
【請求項６】
ディスプレイが電源部と前記電源部に対応する動的発光部を含み、ディスプレイの作動期間に複数の電気パラメータ変化時間帯及び少なくとも一つの非電気パラメータ変化時間帯が含まれ、
各電気パラメータ変化時間帯内に電源部出力開始電気パラメータ及び電源部出力終了電気パラメータがあり、電源部出力電気パラメータは前記開始電気パラメータから前記終了電気パラメータまでの間に同じ傾向で変化し、隣接する電気パラメータ変化時間帯内に、電気パラメータの変化傾向は同じであり、又は異なるステップ１と、
ステップ１に基づいて、動的発光部は発光パラメータを変更し、各電気パラメータ変化時間帯内に、前記発光パラメータの変化によって使用者の眼部の構造は動的に変更されるステップ２と、
を含み、
前記発光パラメータは照度であり、前記電気パラメータ変化時間帯内に、前記照度の０．１秒範囲内の発光パラメータの変化率は０．０００１〜０．０２であり、かつ、前記電気パラメータ変化時間帯内に、前記照度の変化率は２以上であることを特徴とするディスプレイの発光パラメータの動的調整方法。
【請求項７】
前記各電気パラメータ変化時間帯は、時間の長さが同じであり、又は異なることを特徴とする請求項６に記載の方法。
【請求項８】
前記電気パラメータは、電圧及び／又は電流を含むことを特徴とする請求項６に記載の方法。
【請求項９】
前記照度値は、１００〜１００００ｌｕｘであることを特徴とする請求項６に記載の方法。
【請求項１０】
前記動的発光期間では、発光パラメータを人為的に調節することを特徴とする請求項６に記載の方法。
【請求項１１】
ディスプレイが電源部と前記電源部に対応する動的発光部を含み、ディスプレイの作動期間に複数の電気パラメータ設定時間帯が含まれ、
隣接する二つの電気パラメータ設定時間帯に異なる電源部によって出力された電気パラメータをそれぞれ設定するステップ１と、
ステップ１の前記電気パラメータに基づいて、動的発光部は発光パラメータを動的に変更し、前記発光パラメータの変化によって使用者の眼部の構造は動的に変更されるステップ２と、
を含み、
前記発光パラメータは照度であり、隣接する電気パラメータ設定時間帯の間に、前記照度の変化率は０．０２以内であることを特徴とするディスプレイの発光パラメータの動的調整方法。
【請求項１２】
前記各電気パラメータ設定時間帯は、時間の長さが同じであり、又は異なることを特徴とする請求項１１に記載の方法。
【請求項１３】
前記電気パラメータは、電圧及び／又は電流を含むことを特徴とする請求項１１に記載の方法。
【請求項１４】
前記照度値は、１００〜１００００ｌｕｘであることを特徴とする請求項１１に記載の方法。
【請求項１５】
前記動的照明期間では、発光パラメータを人為的に調節することを特徴とする請求項１１に記載の動的照明方法。
【請求項１６】
ディスプレイが電源部と前記電源部に対応する動的発光部を含み、ディスプレイの作動期間に複数の電気パラメータ変化時間帯が含まれ、
各電気パラメータ変化時間帯内に電源部出力開始電気パラメータ及び電源部出力終了電気パラメータがあり、電源部出力電気パラメータは前記開始電気パラメータから前記終了電気パラメータまでの間に同じ傾向で変化し、隣接する電気パラメータ変化時間帯内に、電気パラメータの変化傾向は同じであり、又は異なるステップ１と、
ステップ１に基づいて、動的発光部は発光パラメータを変更し、各電気パラメータ変化時間帯内に、前記発光パラメータの変化によって使用者の眼部の構造は動的に変更されるステップ２と、
を含み、
前記発光パラメータは照度であり、前記電気パラメータ変化時間帯内に、前記照度の０．１秒範囲内の発光パラメータの変化率は、０．０００１〜０．０２であり、かつ、前記電気パラメータ変化時間帯内に、前記照度の変化率は２以上であることを特徴とするディスプレイの発光パラメータの動的調整方法。
【請求項１７】
前記各電気パラメータ変化時間帯は、時間の長さが同じであり、又は異なることを特徴とする請求項１６に記載の方法。
【請求項１８】
前記電気パラメータは、電圧及び／又は電流を含むことを特徴とする請求項１６に記載の方法。
【請求項１９】
前記照度値は、１００〜１００００ｌｕｘであることを特徴とする請求項１６に記載の方法。
【請求項２０】
前記動的発光期間では、発光パラメータを人為的に調節することを特徴とする請求項１６に記載の方法。
【請求項２１】
請求項１、６、１１、１６のいずれか１項に記載の方法を使用して作動することを特徴とする表示装置。
【国際調査報告】
2020500404.tif 000031
2020500404.tif 000032
2020500404.tif 000033
2020500404.tif 000034